(57)【要約】【課題】  容器に収容した収容物を、手を汚すことなく且つ無駄なく手軽に取り出すことができる容器とその容器に食品を収容した包装食品を提供することにある。【解決手段】  収容部と収容部内に収容物を出し入れ可能な開口部が設けられた容器であって、前記容器は片手で保持可能なサイズであり、前記収容部は外側から開口部側に押すことによって裏返し可能なものである。前記容器は、その開口部周縁又は／及び開口部の下部周縁が変形しにくい又は変形しない硬質であり、収容部が裏返し可能な軟質なものである。前記容器は二以上を連結することもできる。本願発明の包装食品は前記容器に食品が収容されたものである。この場合、食品をおにぎり一個分に必要な分量の具材とすることができる。【選択図】図１
2011025988.tif 000002
【特許請求の範囲】
【請求項１】
収容部と収容部内に収容物を出し入れ可能な開口部が設けられた容器において、
前記容器は片手で保持可能なサイズであり、
前記収容部はその外側から開口部側に押すことによって裏返し可能である、
ことを特徴とする容器。
【請求項２】
請求項１記載の容器において、
開口部周縁又は／及び開口部の下部周縁が変形しにくい又は変形しない硬質であり、
収容部が裏返し可能な軟質である、
ことを特徴とする容器。
【請求項３】
請求項１又は請求項２記載の容器が二以上連結された、
ことを特徴とする容器。
【請求項４】
請求項１乃至請求項３のいずれかに記載の容器に食品が収容された、
ことを特徴とする包装食品。
【請求項５】
請求項４記載の包装食品において、
食品はおにぎり一個分に必要な分量の具材である、
ことを特徴とする包装食品。
【発明の詳細な説明】
【技術分野】
【０００１】
本願発明は食品、化粧品、化学品、薬剤といった各種物品を少量ずつ収容できる容器に関し、特に、海藻類や魚介類等の佃煮、鮭フレーク、ツナ、昆布といったおにぎりの具材を収容するのに適した容器及びその容器に食品を収容した包装食品に関するものである。
【背景技術】
【０００２】
従来、一口サイズのゼリーや水羊羹などを収容する容器として合成樹脂製のカップ状容器が使用されている。この種のカップ状容器には固形のもの以外にも、コーヒー用ミルクやシロップのような液状物、ケチャップ、ジャムのようなゲル状物が収容されている（特許文献１）。特許文献１記載の容器は、収容部を階段状にしたものであり、その収容部の底を指で開口部側に押すと、収容部が開口部側に折り畳まれて収容物が押し出されるようにしたものである。
【先行技術文献】
【特許文献】
【０００３】
【特許文献１】特開平１０−１６７２７７号公報
【発明の概要】
【発明が解決しようとする課題】
【０００４】
前記従来の容器は段状の収容部を開口部まで押して収容物を押し出すものであるため、主として液状用であり、そぼろ状の食品や佃煮といった細かな食品を取り出すときは、収容物が段と段の間に挟まってしまい、取り残しが出る。また、容器本体内に残った収容物を取り出すためにはスプーンや箸などで掻き出す必要があり、非常に面倒である。
【課題を解決するための手段】
【０００５】
本願発明の解決課題は、収容物を手軽に、残さず無駄なく取り出すことができる容器及びその容器に食品を収容した包装食品を提供することにある。
【０００６】
本願発明の容器は、請求項１記載のように、収容部と収容部内に収容物を出し入れ可能な開口部が設けられた容器であって、前記容器は片手で保持可能なサイズであり、前記収容部は外側から開口部側に押すことによって裏返し可能なものである。
【０００７】
本願発明の容器は、請求項２記載のように、前記容器において、開口部周縁又は／及び開口部の下部周縁が指で押さえても変形しにくい又は変形しない硬質であり、収容部が裏返し可能な軟質のものである。
【０００８】
本願発明の容器は、請求項３記載のように、前記容器が二以上連結されたものである。連続成型した容器に食品を収容する場合、各容器に同じ食品を収容することも、異なる食品を収容することもできる。おにぎりの具として適する食品を収容することもできる。
【０００９】
本願発明の包装食品は、請求項４記載のように、前記容器に食品が収容されたものである。この場合、請求項５記載のように、食品はおにぎり一個分に必要な分量の具材とすることができる。
【発明の効果】
【００１０】
（１）本願請求項１記載の容器は片手で保持可能なサイズなので扱い易い。また、容器は外側から指で開口部側に押すことによって裏返し可能であるので、収容物が魚や肉をそぼろ状にしたものや佃煮のように粘性の高いものであっても取り残しなく取り出すことができる。収容物を完全に取り出すことができるので、スプーンや箸で掻き出す面倒もない。
（２）本願請求項２記載の容器は、開口部周縁又は／及び開口部の下部周縁が変形しにくい又は変形しない硬質であり、収容部が裏返し可能な軟質なので、容器を指先でもちやすくなり、より一層収容物を押し出しやすくなる。
（３）本願請求項３記載の容器は、二以上連結してあるので、異なる種類の収容物を小分けにしたい場合に便利である。
（４）本願請求項４記載の包装食品は、前記いずれかの容器に食品が収容されているので、食品の取り出しが容易である。
（５）本願請求項５記載の包装食品は、おにぎり一個分に必要な分量の具材が収容されているので、容器から直接米飯の中に具材を詰められるので手間がかからず便利である。
（６）一般的に家庭でおにぎりを作る場合、必要とするおにぎりの個数に対して具材が多すぎたり、少なすぎたりすることがあり、具材や米飯など何かしらの残りが出てしまい、材料を無駄にすることが多いが、本願請求項５記載の包装食品によれば、必要とするおにぎりの個数や種類に応じて必要分だけを用意することができるので経済的である。
（７）収容部を裏返して収容物（具材）を押し出した後、収容部が被ったままの指先でさらにしっかり具材を押込むことができるので便利である。
【図面の簡単な説明】
【００１１】
【図１】本願発明の容器の一例を示す説明図。
【図２】開口部に枠体を設けた場合の容器の一例を示す説明図。
【図３】二以上の容器を縦横に連結した場合の容器の一例を示す説明図。
【図４】開口部を閉口するための蓋材を設けた場合の容器の一例を示す説明図。
【図５】容器に入れた具材を使っておにぎりを作る場合の使用例を示すものであって、（ａ）は具材を容器から押し出す様子を示す説明図、（ｂ）は具材を米飯に押込む様子を示す説明図。
【発明を実施するための形態】
【００１２】
（容器の実施形態１）
本願発明の容器の第１の実施形態について、図１を参照しながら説明する。この実施形態の容器１は片手で保持可能なサイズであり、食品Ｆを収容可能な収容部２の上面に食品Ｆを出し入れするための開口部３が設けられたカップ状の容器である。収容部２は合成樹脂やゴム等の柔軟な材質で形成され、収容部２の外周（例えば、底側）から開口部３側に向けて押込むことによって、収容部２を開口部３の外側に押出して裏返せるようにしてある。開口部３の外周には、収容部２及び開口部３が型崩れしないよう、収容部２の材質よりも硬質の外周縁４が設けられている。外周縁４の幅は任意の寸法とすることができるが、収容部２をその底面側から開口部３方向に押し出す際に、指を掛けられる程度の幅としてある。外周縁４の一部に指を係止するための指支持突起を設けて、収容物を片手で容易に押し出せるようにしてもよい。
【００１３】
（容器の実施形態２）
本願発明の容器の第２の実施形態について、図２を参照しながら説明する。この実施形態の容器１の基本構造は実施形態１と同様である。異なるのは、収容部２の開口部３下部周縁に開口部３と同径の環状の枠体５を設けたことである。枠体５は開口部３の外周に形成された外周縁４と同質の樹脂で外周縁４と一体成型してある。枠体５は開口部３の上方に向けて突出するように設けることもできる。
【００１４】
（容器の実施形態３）
本願発明の容器の第３の実施形態について、図３を参照しながら説明する。この実施形態の容器１の基本構造は前記実施形態１又は２と同様である。異なるのは、これらの容器１を縦方向及び横方向に連結して形成したことである。容器１は縦横いずれか一方にのみ連結することも、縦横以外の他の方向に連続して形成することもできる。連結された各容器１の間には、切り取り部Ｎを設けて各容器１を一つずつ切り取れるようにしてもよい。
【００１５】
（容器の実施形態４）
本願発明の容器の第４の実施形態について、図４を参照しながら説明する。この実施形態の容器１は、基本構造は前記実施形態１乃至３に記載の容器１と同様である。異なるのは、容器１に蓋材６を取り付け、収容部２の開口部３を閉口したことである。図４に示す蓋材６は樹脂製のフィルム材であり、開口部３の外周に形成された外周縁４及び突起７にホットメルト接着剤によって加熱接着してある。蓋材６は新規の又は既存の方法により接着することができる。
【００１６】
（容器の他の実施形態）
前記容器１の実施形態において、収容部２を開口部３から外側に向けて押し出しやすいように、収容部２の外周底面に窪みを設けることができる。また、収容部２に収容した収容物を取り出しやすいように、収容部２の内周底面に複数の凹凸を設けることもできる。
【００１７】
（包装食品の実施形態）
本願発明の包装食品の第１の実施形態について、図３及び図４を参照しながら説明する。この包装食品は、前記容器の実施形態３に記載の容器１の収容部２に食品Ｆを収容し、食品Ｆを収容した収容部２の開口部３をフィルム状の蓋材６で閉口したものである。この場合、各容器１に収容する食品Ｆは同じものであっても異なるものであっても良い。食品Ｆとしては、昆布の佃煮、鮭フレーク、ツナ、そぼろ等がある。本実施形態では連結された容器１に食品Ｆを収容する場合を一例として説明したが、図４に示すように、容器の実施形態１又は２に記載の単体の容器１に食品Ｆを入れて販売用としてもよい。
【００１８】
（包装食品の使用例１）
本願発明の包装食品の使用例について、図５を参照しながら説明する。この使用例は、食品用容器に入れた具材８を使っておにぎりを握る場合の例である。
（１）予め任意の具材８を収容した容器１の蓋材６をあけておく。
（２）おにぎり用に下ごしらえをした米飯Ｒを片手（左手）にのせ、具材８を収容するための受け部を形成する。
（３）その状態で容器１に任意の具材８を収容した容器１を右手で保持し、収容部２の底面外周を親指で開口部３側に向けて押込み、具材８が開口部３を出して左手にのせた米飯Ｒの上に出す。
（４）その状態のまま人差し指で具材８を米飯Ｒの中までしっかりと押込む。このとき、収容部２の中の具材８を完全に出し切るようにする。
（５）具材８が完全に米飯Ｒの中に押込まれた後、右手で保持していた容器１を置いて、両手でおにぎりを所望形状に成形する。
【００１９】
（包装食品の使用例２）
本願発明の包装食品は、おにぎりの型枠を用いておにぎりを作る場合にも使用することができる。この場合、おにぎりは以下の手順で作る。
（１）下ごしらえをした米飯Ｒを型枠にセットし、具材８を収容するための受け部を形成する。
（２）その後、容器１の蓋材６を開けて、米飯Ｒに形成した受け部に具材８を押込む。蓋材６は（１）の前にあけておくこともできる。
（３）そのまま具材８を米飯の中までしっかり押込み、収容部２の中の具材８を完全に出し切る。
（４）具材８が完全に米飯Ｒの中に押込まれた後、両手でおにぎりを所望形状に成形する。
【産業上の利用可能性】
【００２０】
本願発明の容器１は、サプリメント、薬剤、化粧品、化学品など、食品以外のものを収容するために使用することも可能である。
【符号の説明】
【００２１】
１    容器
２    収容部
３    開口部
４    外周縁
５    枠体
６    蓋材
７    突起
８    具材
Ｆ    食品
Ｎ    切り取り部
Ｒ    米飯
【図１】
2011025988.tif 000003
【図２】
2011025988.tif 000004
【図３】
2011025988.tif 000005
【図４】
2011025988.tif 000006
【図５】
2011025988.tif 000007